(57)【要約】      （修正有）【課題】味噌を掻き取った後も容器内の味噌の表面に凹凸が出来ずに、味噌の劣化を防ぎ、味噌の持つ芳香を汁内に移譲させることができ、又、収蔵容器内に味噌が残り少なくなった場合には、ヘリや四隅なども掻き取りが容易な味噌定量溶解ヘラを提供する。【解決手段】ヘラ本体１の先端は、溶解流出用の穴と、味噌の掻き取りが容易な様に先端が曲面状に折り曲げられていて、側面が折り曲げられており、突起４や目盛７が付されている。ヘラ１の折り曲げ部に沿って抱き合わさる様に設置されている摺動蓋２とで、基本的に構成する。該摺動蓋２には突片３があり、突片３によって摺動蓋２をヘラ１の折り曲げ部に沿って摺動させ、ヘラ１に付されている突起４や目盛７の位置に摺動蓋２の測定部位９を合わせて停止させることにより、掻き取り味噌量の選択ができる。【選択図】図１
0003140003.tif 000002
【実用新案登録請求の範囲】
【請求項１】
穴の開いた先端が曲面状に折り曲げられているヘラ（１）の側面が折り曲げられてあり、該ヘラ（１）には突起（４）や目盛（７）が付されており、該ヘラ（１）の折り曲げ部に沿って抱き合わせる様に設置されている摺動蓋（２）を有し、該蓋（２）には、突片（３）が有り、突片（３）によって摺動蓋（２）を摺動させて、ヘラ（１）に付されている目盛（７）又は、突起（４）の位置に摺動蓋（２）の測定部位を合わせて停止出来る様にされており、ヘラ（１）には、ストッパー（５）が付されており、味噌充填後に摺動蓋（２）をストッパー（５）まで移動させて停止出来る様にせれてなる味噌定量溶解へら
【考案の詳細な説明】
【考案の詳細な説明】
【考案の対象技術分野】
【０００１】  穴の開いた先端が曲面状に折り曲げられているヘラにて定量位置まで味噌を掻き取り、摺動蓋を被せ、湯中にて溶解する調理器具に関するものである。
【背景技術】
【０００２】  熱湯にお玉などで味噌を目分量で掬って入れ、箸などで湯と混ぜ合わせ、良く溶かして味噌汁を作っていた。
【考案の開示】
【考案が解決しようとする課題】
【０００３】  （イ）収蔵容器内の味噌表面に密封紙（板）を乗せ、直接空気に接する事を避け、香りと味を封じ込め、味噌の品質劣化を抑えているが、従来の方法では、掻き取りの際に凸凹が出来、空気との接触が多くなり、味噌が劣化する問題が有った。
（ロ）味噌中の含有塩分濃度は、健康上極めて重要であり、適量の計量が必要になる。例えば１人分、２人分、…又は１単位、２単位、…、等の定量充填が必要とされる。
（ハ）容器内の残量が少なくなった場合には、ヘリや四隅を掻き取ることが出来なかった。
【課題を解決する為の手段】
【０００４】  そこで本考案者は、上記課題について鋭意検討した結果、ヘラの先端を曲面状に折り曲げることにより、味噌の表面を平滑掻き取りが可能となり、使用後も収蔵容器内に乗せてある密封紙（板）も平坦に置くことが出来る。又、容器内の残量が少なくなった場合には、ヘリや四隅を掻き取ることも容易となる。以下、その使用方法について説明する。味噌を掻き取るには、ヘラ（１）に抱き合わせる様に、摺動蓋（２）が有り、該摺動蓋（２）に設けられている突片（３）を摺動させてヘラ（１）の突起（４）又は目盛（７）に該摺動蓋（２）の測定部位（９）を合わせて停止させる。この位置が１人分に相当する。更に該摺動蓋（２）の突片（３）を強く動かして抱き部（８）がヘラ（１）の突起（４）を乗り越えて進み、次の突起（４）にぶつかって止まることにより、２人分、三人分となる。又、ヘラ（１）に印した目盛（７）が有り、その位置に該摺動蓋（２）の測定部位（９）を合わせる事により、更に自由に、例えば、１．５人分、２．５人分等選択することが出来る。この時は抱え部（８）がヘラ（１）の突起（４）に当っていないので摺動蓋（２）が上下に動かない様、強く押さえる必要がある。掻き取り位置決定後、手で摺動蓋（２）が動かない様にヘラ（１）と摺動蓋（２）を一体にして持ち、摺動蓋（２）の先端面（１１）まで味噌を掻き取る。その後、摺動蓋（２）の突片（３）を押して摺動させ、抱え部の先端（１０）がヘラ（１）のストッパー（５）に当り停止するまで摺動蓋（２）を被せる。この時、味噌はヘラ（１）の先端（１３）と摺動蓋（２）との間に収納された状態になる。その後、ヘラ（１）は後端（１２）を指先にてつまみ、湯中に入れ、上下左右に揺することにより、内部の味噌が湯中に拡散する。
【考案の効果】
【０００５】  ヘラ１の掻き取り部を穴の開いた薄い先端曲面（１３）にすることにより、味噌を掻き取った後も容器内の味噌の表面に凸凹が出来ずに、味噌の劣化を防ぎ、味噌の持つ芳香を汁内に移譲させることができ、又、収蔵容器内に味噌が残り少なくなった場合には、ヘリや四隅なども掻き取りが容易である。そしてヘラ（１）と摺動蓋（２）の位置により、希望使用量が決定でき、健康管理面において非常に優秀である。更に全作業を片手で出来る。
【考案を実施する為の最良の形態】
【０００６】  味噌収蔵容器内（１４）の蓋（１５）を外し、密封紙（板）（１６）を剥がし、味噌定量溶解ヘラを片手に持ち、例えば親指にて摺動蓋（２）の突片（３）を摺動させ、味噌充填位置にセットし、掻き取り装置即ち摺動蓋（２）の先端面（１１）の所まで掻き取り後、摺動蓋（２）の突片（３）を親指でヘラ先端（１３）方向に押すと摺動蓋（２）の抱え部（８）の抱き部の先端（１０）がヘラ（１）のストッパー（５）に当り停止する。こうしてヘラ（１）と摺動蓋（２）との間に味噌が充填された状態になり、湯に入れ上下左右に揺動することにより、容易に溶解する。
【実施例】
【０００７】  以下、添付図面に従って説明する。１は耐久、耐蝕性の高い金属又はプラスチック等の適宜素材にて、穴の開いた先端が曲面状に折り曲げられているヘラ本体。２は、ヘラ１に沿って抱き合わせ、摺動出来る耐久、耐蝕性の金属又はプラスチック等の適宜素材にて、上面穴の開いた摺動蓋（２）。この該摺動蓋には突片（３）が付され、指にてヘラ（１）に沿って摺動する。又、摺動蓋（２）は、一部折曲がっており、ヘラ（１）を抱きかかえるための抱き部（８）がある。【０００８】  味噌収蔵器（１４）の蓋（１５）を取り外し、密封紙（板）（１６）を剥がし味噌（１７）を平滑に掻き取り後、密封紙（板）（１６）を貼り、原状に復元する。【０００９】  摺動蓋（２）の測定部位（９）をヘラ（１）の目盛等に合わせて適量味噌を掻き取った後、摺動蓋（２）をヘラ（１）の先端（１３）方向に移動させ、摺動蓋（２）の抱え部先端（１０）がヘラ（１）のストッパー（５）に当り停止？。その後ヘラ（１）の後端（１２）を指で摘み、そのまま湯に入れ上下左右に揺動することにより、味噌は溶解する。
【図面の簡単な説明】
【図１】本考案の味噌定量溶解ヘラの実施例を示す組み立て正面図である。
【図２】図１の側面図である。
【図３】ヘラ１の部品正面図である。
【図４】図３の側面図である。
【図５】摺動蓋（２）の部品正面図である。
【図６】図５の側面図である。
【図７】味噌収蔵容器の切り欠き断面図である。
【図８】溶解実施図
【符号の説明】
【００１０】１  ヘラ
２  摺動蓋
３  摺動蓋の突片
４  ヘラの突起
５  ヘラのストッパー
６  ヘラの折り曲げ部
７  目盛
８  摺動蓋の抱え部
９  摺動蓋の測定部位
１０  抱え部の先端
１１  摺動蓋の先端面
１２  ヘラの後端
１３  ヘラの先端
１４  味噌収蔵容器
１５  同上蓋
１６  密封紙（板）
１７  味噌
【図１】
0003140003.tif 000003
【図２】
0003140003.tif 000004
【図３】
0003140003.tif 000005
【図４】
0003140003.tif 000006
【図５】
0003140003.tif 000007
【図６】
0003140003.tif 000008
【図７】
0003140003.tif 000009
【図８】
0003140003.tif 000010